(57)【要約】【課題】化学物質ポンプおよび化学組成物を管理するための技術が開示される。【解決手段】システムは、化学物質ポンプの動作中に化学組成物に曝される化学物質ポンプと、化学組成物を含有する化学物質貯留槽であって、化学組成物に対応する埋め込まれた情報を含む電子的に読み取り可能な媒体を含む化学物質貯留槽と、化学組成物と化学物質ポンプとの間の化学的適合性データを含むデータベースとを含み得る。携帯型コンピューティングデバイス上で実行されるアプリケーションは、化学物質ポンプのポンプ識別子を受信し、電子的に読み取り可能な媒体を電子的に読み取って、埋め込まれた情報に基づいて、化学組成物の化学物質識別子を取得し、化学物質識別子とポンプ識別子を使用してデータベースにクエリを行い、データベースから、化学組成物と化学物質ポンプとの間の化学的適合性を受信し、化学組成物と化学物質ポンプとの間の化学的適合性に対応する表示を出力するように動作可能である。【選択図】図３
2021514511.tif 000002
【特許請求の範囲】
【請求項１】
化学物質ポンプの動作中にポンピングされている化学組成物に曝される少なくとも１つの部品を含む、化学物質ポンプと、
前記化学組成物を含む化学物質貯留槽であって、前記化学組成物に対応する埋め込まれた情報を含む電子的に読み取り可能な媒体を含む、化学物質貯留槽と、
前記化学組成物と前記少なくとも１つの部品との間の適合性を含む化学的適合性データを含むデータベースと、を含むシステムであって、
携帯型コンピューティングデバイス上で実行されるアプリケーションが、
前記携帯型コンピューティングデバイスの第１の入力デバイスを介して、前記化学物質ポンプのポンプ識別子を含む選択を受信することと、
前記携帯型コンピューティングデバイスの第２の入力デバイスを使用して、前記電子的に読み取り可能な媒体を電子的に読み取って、前記埋め込まれた情報に基づいて、前記化学物質貯留槽内の前記化学組成物に対応する化学物質識別子を取得することと、
前記化学物質識別子及び前記ポンプ識別子を使用して前記データベースにクエリを行うことと、
前記データベースから前記クエリへの応答を受信することであって、前記応答が、前記化学物質貯留槽内の前記化学組成物と前記化学物質ポンプの前記少なくとも１つの部品との間の化学的適合性を含む、受信することと、
前記携帯型コンピューティングデバイスの出力デバイスを介して、前記化学物質貯留槽内の前記化学組成物と前記化学物質ポンプとの間の前記化学的適合性に対応する出力表示を出力することと、を行うように動作可能である、システム。
【請求項２】
前記データベースが、前記化学物質ポンプ及び前記携帯型コンピューティングデバイスのうちの少なくとも１つに含まれる、請求項１に記載のシステム。
【請求項３】
前記化学物質ポンプが、第１の無線通信デバイスを備え、
前記携帯型コンピューティングデバイスが、第２の無線通信デバイスを備え、
前記化学物質ポンプ及び前記携帯型コンピューティングデバイスが、前記第１及び第２の無線通信デバイスの両方と互換性がある無線通信プロトコルを介して、前記第１及び第２の無線通信デバイスをそれぞれ介して通信する、請求項１または２に記載のシステム。
【請求項４】
前記出力表示が、
前記化学物質ポンプと前記化学組成物が適合するという表示、
前記化学物質ポンプの少なくとも１つの部品と前記化学組成物が適合しないという表示、
前記化学物質ポンプ内で前記化学組成物を使用すると、前記化学物質ポンプの耐用年数が短くなる可能性があるという表示、のうちの少なくとも１つを含む、請求項１〜３のいずれか一項に記載のシステム。
【請求項５】
前記データベースが、前記化学物質ポンプ及び前記携帯型コンピューティングデバイスの両方から離れて位置する少なくとも１つのサーバーに格納されている、請求項１〜４のいずれか一項に記載のシステム。
【請求項６】
前記少なくとも１つの部品が、シール、ガスケット、Ｏリング、及びそれらの組み合わせからなる群から選択される、請求項１〜５のいずれか一項に記載のシステム。
【請求項７】
前記電子的に読み取り可能な媒体が、走査可能な画像であり、
前記携帯型コンピューティングデバイスの前記第２の入力デバイスが、光入力デバイスである、請求項１〜６のいずれか一項に記載のシステム。
【請求項８】
前記走査可能な画像が、２次元バーコード及び３次元バーコードのうちの少なくとも１つである、請求項７に記載のシステム。
【請求項９】
前記電子的に読み取り可能な媒体が、無線周波数識別（ＲＦＩＤ）タグであり、
前記携帯型コンピューティングデバイスの前記第２の入力デバイスが、ＲＦＩＤ読み取り機である、請求項１〜８のいずれか一項に記載のシステム。
【請求項１０】
前記埋め込まれた情報が、
前記化学物質貯留槽内の前記化学組成物の量、及び
前記化学物質貯留槽内の前記化学組成物の濃度のうちの少なくとも１つに対応する、請求項１〜９のいずれか一項に記載のシステム。
【請求項１１】
前記携帯型コンピューティングデバイスが、スマートフォンであり、
前記第１の入力デバイス及び前記出力デバイスの両方が、前記スマートフォンのタッチスクリーンである、請求項１〜１０のいずれか一項に記載のシステム。
【請求項１２】
前記アプリケーションが、
前記化学物質ポンプから稼働情報を受信し、
前記携帯型コンピューティングデバイスの前記出力デバイスに前記稼働情報を表示するようにさらに動作可能である、請求項１〜１１のいずれか一項に記載のシステム。
【請求項１３】
前記化学物質貯留槽が、複数の貯留槽を含み、前記複数の貯留槽のそれぞれの貯留槽が、それぞれの化学組成物及びそれぞれの電子的に読み取り可能な媒体を備える、請求項１〜１２のいずれか一項に記載のシステム。
【請求項１４】
前記少なくとも１つの部品が、ポリ塩化ビニル、ポリエチレン、ポリプロピレン、ポリフッ化ビニリデン、ポリテトラフルオロエチレン、ポリエーテルエーテルケトン、及びそれらの組み合わせからなる群から選択される材料から製造され、
前記化学組成物が、アルカリ金属水酸化物、アルカリ金属次亜塩素酸塩、過酸化物、鉱酸、有機酸、界面活性剤、及びそれらの組み合わせからなる群から選択される、請求項１〜１３のいずれか一項に記載のシステム。
【請求項１５】
前記アプリケーションが、前記化学物質ポンプと通信して、前記化学物質ポンプに、追加の量の前記化学組成物が前記化学物質ポンプに導入されるのを防止させるように動作可能である、請求項１〜１４のいずれか一項に記載のシステム。
【請求項１６】
前記少なくとも１つの部品が、複数の部品を含み、前記複数の部品のそれぞれの部品が、それぞれの材料から製造され、
前記クエリが、それぞれの材料の前記化学組成物に対する前記化学的適合性を決定し、
前記複数の部品のいずれかの部品が、前記化学組成物と適合しないと決定された場合、前記出力表示は、前記化学物質ポンプが、前記化学組成物と適合しないというものである、請求項１〜１５のいずれか一項に記載のシステム。
【請求項１７】
命令を含む非一時的なコンピューター可読媒体であって、前記命令は、携帯型コンピューティングデバイスによって実行されたときに、前記携帯型コンピューティングデバイスに、
携帯型コンピューティングデバイスの第１の入力デバイスを介して、少なくとも１つの部品を含む化学物質ポンプのポンプ識別子を含む選択を受信することと、
前記携帯型コンピューティングデバイスの第２の入力デバイスを使用して、前記化学物質貯留槽に保管されている化学組成物に対応する埋め込まれた情報を含む電子的に読み取り可能な媒体を電子的に読み取り、前記埋め込まれた情報に基づいて、前記化学物質貯留槽内の前記化学組成物に対応する化学物質識別子を取得することと、
前記化学物質識別子及び前記ポンプ識別子を使用して、化学的適合性データを含むデータベースにクエリを行うことと、
前記データベースから前記クエリへの応答を受信することであって、前記応答が、前記化学物質貯留槽内の前記化学組成物と前記化学物質ポンプの前記少なくとも１つの部品との間の化学的適合性を含む、受信することと、
前記携帯型コンピューティングデバイスの出力デバイスを介して、前記化学物質貯留槽に保管されている前記化学組成物と前記化学物質ポンプとの間の前記化学的適合性に対応する出力表示を出力することと、を行わせる、非一時的なコンピューター可読媒体。
【請求項１８】
前記携帯型コンピューティングデバイスが、スマートフォンであり、
前記第１の入力デバイス及び前記出力デバイスの両方が、前記スマートフォンのタッチスクリーンである、請求項１７に記載の非一時的なコンピューター可読媒体。
【請求項１９】
前記電子的に読み取り可能な媒体が、走査可能な画像であり、
前記携帯型コンピューティングデバイスの前記第２の入力デバイスが、光入力デバイスである、請求項１７または１８に記載の非一時的なコンピューター可読媒体。
【請求項２０】
前記走査可能な画像が、２次元バーコード及び３次元バーコードのうちの少なくとも１つである、請求項１９に記載の非一時的なコンピューター可読媒体。
【請求項２１】
携帯型コンピューティングデバイスから、少なくとも１つの部品を含む化学物質ポンプを識別するポンプ識別子を受信することであって、前記ポンプ識別子が、前記携帯型コンピューティングデバイスの第１の入力デバイスを介して受信された選択に対応する、受信することと、
前記携帯型コンピューティングデバイスから、化学組成物を保管している化学物質貯留槽を識別する化学物質識別子を受信することであって、前記化学物質識別子が、前記携帯型コンピューティングデバイスの第２の入力デバイスを介して受信された入力に対応する、受信することと、
前記ポンプ識別子及び前記化学物質識別子を使用して、前記化学物質ポンプの少なくとも１つの部品と前記化学物質貯留槽内の前記化学組成物との間の適合性を含む化学的適合性データを含むデータベースにクエリを行うことと、
前記データベースから前記クエリへの応答を受信することであって、前記応答が、前記化学物質ポンプの前記少なくとも１つの部品と前記化学物質貯留槽内の前記化学組成物との間の前記適合性を含む、受信することと、
前記適合性を前記携帯型コンピューティングデバイスに送信することと、を含む、方法。
【請求項２２】
前記方法が、前記化学物質ポンプによって行われる、請求項２１に記載の方法。
【請求項２３】
前記方法が、前記化学物質ポンプ及び前記携帯型コンピューティングデバイスの両方から離れたサーバーによって行われる、請求項２１及び２２のいずれか一項に記載の方法。
【請求項２４】
前記データベースが、前記化学物質ポンプ及び前記携帯型コンピューティングデバイスの両方から離れている、請求項２１〜２３のいずれか一項に記載の方法。
【請求項２５】
前記化学物質ポンプ及び前記携帯型コンピューティングデバイスが、Ｂｌｕｅｔｏｏｔｈ（登録商標）無線通信プロトコルを介して通信する、請求項２１〜２４のいずれか一項に記載の方法。
【請求項２６】
システムであって、
携帯型コンピューティングデバイスから、少なくとも１つの部品を含む化学物質ポンプを識別するポンプ識別子を受信するための手段であって、前記ポンプ識別子が、前記携帯型コンピューティングデバイスの第１の入力デバイスを介して受信された選択に対応する、手段と、
前記携帯型コンピューティングデバイスから、化学組成物を保管している化学物質貯留槽を識別する化学物質識別子を受信するための手段と、
前記ポンプ識別子及び前記化学物質識別子を使用して、前記化学物質ポンプの前記少なくとも１つの部品と前記化学物質貯留槽内の前記化学組成物との間の適合性を含む化学的適合性データを含むデータベースにクエリを行うための手段と、
前記データベースから前記クエリへの応答を受信するための手段であって、前記応答は、前記化学組成物が前記化学物質ポンプの前記少なくとも１つの部品と適合するかどうかを示す適合性表示を含む、手段と、
前記適合性表示を前記携帯型コンピューティングデバイスに送信する手段と、を含む、システム。
【請求項２７】
前記化学組成物を前記化学物質ポンプに供給する前記化学物質貯留槽を交換するための、請求項１〜１６のいずれか一項に記載のシステムの使用。
【発明の詳細な説明】
【技術分野】
【０００１】
本出願は、２０１８年２月２１日出願の米国仮特許出願第６２／６３３，４２２号の優先権を主張し、該米国仮特許出願の全体の内容は、参照により本明細書に組み込まれる。
【０００２】
本開示は、概して、化学物質ポンプおよび化学物質ポンプによってポンピングされる化学組成物に関する。
【背景技術】
【０００３】
化学物質ポンプは、様々な目的で化学組成物をポンピングするために様々な業界で使用されている。場合によっては、施設は、異なるポンプによってポンピングされる複数の化学組成物を使用する場合がある。各化学物質ポンプは、施設内で使用される異なる化学組成物と適合し得るか、またはし得ない様々な内部部品を有する場合がある。間違った化学組成物がポンプに供給されると、化学物質は、ポンプの化学的に適合しない部品を劣化させるかまたは破壊する可能性がある。これにより、ポンプの耐用年数が短くなり、ポンプが作動不能になり、および／またはポンピングされる化学物質を汚染する可能性がある。
【発明の概要】
【０００４】
一般に、本開示は、化学組成物と１つ以上の化学物質ポンプの部品との間の化学的適合性を確認するためのシステムおよび技術を対象とする。バーコードなどの電子的に読み取り可能な媒体は、化学組成物を含有する貯留槽に取り付けられてもよい。携帯型コンピューティングデバイス上で実行されるソフトウェアアプリケーションは、化学物質ポンプの選択を受信することができる。ソフトウェアアプリケーションは、貯留槽の電子的に読み取り可能な媒体を電子的に読み取って、化学組成物に関する埋め込まれた情報を得ることができる。ソフトウェアアプリケーションは、選択された化学物質ポンプおよび化学組成物に関する埋め込まれた情報を使用して、化学物質ポンプと化学組成物との化学的適合性に関する情報を要求することができる。化学的適合性情報に基づいて、ソフトウェアアプリケーションは、化学組成物を化学物質ポンプで使用できるかどうかをユーザーに通知することが可能である。
【０００５】
実際には、例えば、操作者は、在庫にある複数の異なる種類の化学物質の１つを、動作現場で使用される複数の異なるポンプの１つに供給することを任される場合がある。操作者が、化学物質を、そのような化学物質と化学的に適合しない１つ以上の部品を有するポンプに不注意に供給しないように補助するために、化学的適合性ソフトウェアシステムが本開示に従って実施され得る。操作者は、スマートフォンまたはタブレットコンピューターなどの携帯型ユーザーデバイスを操作して、操作者が化学物質の新しい貯留槽で供給しようとしているポンプを選択することができる。操作者はさらに、携帯型電子デバイスに関連付けられた非接触式読み取り機を使用して、選択されたポンプに供給されることが意図される化学物質貯留槽に関連付けられた電子的に読み取り可能な情報を読み取ることができる。携帯型電子デバイス、リモートサーバー、および／または他のコンピューティングデバイスに関連付けられた１つ以上のプロセッサ上で実行されるソフトウェアは、選択されたポンプの１つ以上の部品の化学的適合性を、選択されたポンプに供給されることが意図された化学物質貯留槽内の化学物質と比較することが可能である。化学物質が選択されたポンプと適合すると判定された場合、ユーザーは、携帯型ユーザーデバイスを介して適合性について通知され得る。追加的または代替的に、そうでなければ操作者が選択されたポンプに化学物質を供給することを防止するであろう電気的および／または機械的ロックアウト機能が解除され得る。対照的に、化学物質が選択されたポンプの１つ以上の部品と適合しないと判定された場合、ユーザーは、携帯型ユーザーデバイスを介して非適合性について通知され得る。追加的または代替的に、電気的および／または機械的ロックアウト機能は、操作者が選択されたポンプに化学物質を供給することを防止するように、係合されるか、または解除されないようにすることができる。
【０００６】
第１の実施形態では、化学物質ポンプの動作中にポンピングされている化学組成物に曝される少なくとも１つの部品を含む化学物質ポンプと、化学組成物を含有する化学物質貯留槽であって、化学組成物に対応する埋め込まれた情報を含む電子的に読み取り可能な媒体を含む化学物質貯留槽と、化学組成物と少なくとも１つの部品との間の適合性を含む化学的適合性データを含むデータベースとを含むシステムが記載される。この実施形態はさらに、携帯型コンピューティングデバイス上で実行されるアプリケーションを含み、それは、携帯型コンピューティングデバイスの第１の入力デバイスを介して、化学物質ポンプのポンプ識別子を含む選択を受信し、携帯型コンピューティングデバイスの第２の入力デバイスを使用して、電子的に読み取り可能な媒体を電子的に読み取って、埋め込まれた情報に基づいて、化学物質貯留槽内の化学組成物に対応する化学物質識別子を取得し、化学物質識別子およびポンプ識別子を使用してデータベースにクエリを行い、データベースからクエリへの応答を受信し、応答が、化学物質貯留槽の化学組成物と化学物質ポンプの少なくとも１つの部品との間の化学的適合性を含み、携帯型コンピューティングデバイスの出力デバイスを介して、化学物質貯留槽の化学組成物と化学物質ポンプとの間の化学的適合性に対応する出力表示を出力するように動作可能である。
【０００７】
第２の実施形態では、第１の実施形態の主題が構成され、ここで、データベースが化学物質ポンプおよび携帯型コンピューティングデバイスのうちの少なくとも１つに含まれる。
【０００８】
第３の実施形態では、第２の実施形態の主題が構成され、ここで、化学物質ポンプが、第１の無線通信デバイスを備え、携帯型コンピューティングデバイスが、第２の無線通信デバイスを備え、化学物質ポンプおよび携帯型コンピューティングデバイスが、第１および第２の無線通信デバイスの両方と互換性がある無線通信プロトコルを介して、それぞれ第１および第２の無線通信デバイスを介して通信する。
【０００９】
第４の実施形態では、第１〜第３の実施形態の主題が構成され、ここで、出力表示が、化学物質ポンプと化学組成物が適合するという表示、化学物質ポンプの少なくとも１つの部品と化学組成物が適合しないという表示、化学物質ポンプ内で化学組成物を使用すると、化学物質ポンプの耐用年数が短くなる可能性があるという表示のうちの少なくとも１つを含む。
【００１０】
第５の実施形態では、第１〜第４の実施形態の主題が構成され、ここで、データベースが、化学物質ポンプおよび携帯型コンピューティングデバイスの両方から離れて配置された少なくとも１つのサーバーに格納されている。
【００１１】
第６の実施形態では、第１〜第５の実施形態の主題が構成され、ここで、少なくとも１つの部品が、シール、ガスケット、Ｏリング、およびそれらの組み合わせからなる群から選択される。
【００１２】
第７の実施形態では、第１〜第６の実施形態の主題が構成され、ここで、電子的に読み取り可能な媒体が、走査可能な画像であり、携帯型コンピューティングデバイスの第２の入力デバイスが、光入力デバイスである。
【００１３】
第８の実施形態では、第７の実施形態の主題が構成され、ここで、走査可能な画像が、２次元バーコードおよび３次元バーコードのうちの少なくとも１つである。
【００１４】
第９の実施形態では、第１〜第８の実施形態の主題が構成され、ここで、電子的に読み取り可能な媒体が、無線周波数識別（ＲＦＩＤ）タグであり、携帯型コンピューティングデバイスの第２の入力デバイスが、ＲＦＩＤ読み取り機である。
【００１５】
第１０の実施形態では、第１〜第９の実施形態の主題が構成され、ここで、埋め込まれた情報が、化学物質貯留槽の化学組成物の量、および化学物質貯留槽内の化学組成物の濃度のうちの少なくとも１つに対応する。
【００１６】
第１１の実施形態では、第１〜第１０の実施形態の主題が構成され、ここで、携帯型コンピューティングデバイスが、スマートフォンであり、第１の入力デバイスおよび出力デバイスの両方が、スマートフォンのタッチスクリーンである。
【００１７】
第１２の実施形態では、第１〜第１１の実施形態の主題が構成され、ここで、アプリケーションが、化学物質ポンプから動作情報を受信し、携帯型コンピューティングデバイスの出力デバイスに稼働情報を表示するようにさらに動作可能である。
【００１８】
第１３の実施形態では、第１〜第１２の実施形態の主題が構成され、ここで、化学物質貯留槽が、複数の貯留槽を含み、複数の貯留槽のそれぞれの貯留槽が、それぞれの化学組成物およびそれぞれの電子的に読み取り可能な媒体を含む。
【００１９】
第１４の実施形態では、第１〜第１３の実施形態が構成され、ここで、少なくとも１つの部品が、ポリ塩化ビニル、ポリエチレン、ポリプロピレン、ポリフッ化ビニリデン、ポリテトラフルオロエチレン、ポリエーテルエーテルケトン、およびそれらの組み合わせからなる群から選択される材料から製造され、化学組成物が、アルカリ金属水酸化物、アルカリ金属次亜塩素酸塩、過酸化物、鉱酸、有機酸、界面活性剤、およびそれらの組み合わせからなる群から選択される。
【００２０】
第１５の実施形態では、第４〜第１４の実施形態の主題が構成され、ここで、アプリケーションが、化学物質ポンプと通信して、化学物質ポンプに、化学組成物の追加量が化学物質ポンプに導入されるのを防止させるように動作可能である。
【００２１】
第１６の実施形態では、第１〜第１５の実施形態の主題が構成され、ここで、少なくとも１つの部品が、複数の部品を含み、複数の部品のそれぞれの部品が、それぞれの材料から製造され、クエリが、それぞれの材料の化学組成物に対する化学的適合性を判定し、複数の部品のいずれかの部品が化学組成物と適合しないと判定された場合、出力指示は、化学物質ポンプが化学組成物と適合しないということである。
【００２２】
第１７の実施形態では、非一時的なコンピューター可読媒体が記載され、それは、携帯型コンピューティングデバイスによって実行されたときに、携帯型コンピューティングデバイスに、携帯型コンピューティングデバイスの第１の入力デバイスを介して、少なくとも１つの部品を含む化学物質ポンプのポンプ識別子を含む選択を受信させ、携帯型コンピューティングデバイスの第２の入力デバイスを使用して、化学物質貯留槽に保管されている化学組成物に対応する埋め込まれた情報を含む電子的に読み取り可能な媒体を電子的に読み取らせて、埋め込まれた情報に基づいて、化学物質貯留槽内の化学組成物に対応する化学物質識別子を取得させる命令を含む。命令はさらに、携帯型コンピューティングデバイスに、化学物質識別子およびポンプ識別子を使用して、化学的適合性データを含むデータベースにクエリを行わせ、データベースからクエリへの応答を受信させ、応答が、化学物質貯留槽内の化学組成物と化学物質ポンプの少なくとも１つの部品との間の化学的適合性を含み、携帯型コンピューティングデバイスの出力デバイスを介して、化学物質貯留槽に保管されている化学組成物と化学物質ポンプとの間の化学的適合性に対応する出力表示を出力させるように構成される。
【００２３】
第１８の実施形態では、第１７の実施形態の主題が構成され、ここで、携帯型コンピューティングデバイスが、スマートフォンであり、第１の入力デバイスおよび出力デバイスの両方が、スマートフォンのタッチスクリーンである。
【００２４】
第１９の実施形態では、第１７および第１８の実施形態の主題が構成され、ここで、電子的に読み取り可能な媒体が、走査可能な画像であり、携帯型コンピューティングデバイスの第２の入力デバイスが、光入力デバイスである。
【００２５】
第２０の実施形態では、第１９の実施形態の主題が構成され、ここで、走査可能な画像が、２次元バーコードおよび３次元バーコードのうちの少なくとも１つである。
【００２６】
第２１の実施形態では、携帯型コンピューティングデバイスから、少なくとも１つの部品を含む化学物質ポンプを識別するポンプ識別子を受信することを含む方法が記載され、ポンプ識別子は、携帯型コンピューティングデバイスの第１の入力デバイスを介して受信された選択に対応する。この方法はまた、携帯型コンピューティングデバイスから、化学組成物を保管している化学物質貯留槽を識別する化学物質識別子を受信することを含み、化学物質識別子は、携帯型コンピューティングデバイスの第２の入力デバイスを介して受信された入力に対応する。この方法はさらに、ポンプ識別子および化学物質識別子を使用して、化学物質ポンプの少なくとも１つの部品と化学物質貯留槽内の化学組成物との間の適合性を含む化学的適合性データを含むデータベースにクエリを行うことを含む。さらに、この方法は、データベースからクエリへの応答を受信し、応答が、化学物質ポンプの少なくとも１つの部品と化学物質貯留槽内の化学組成物との間の適合性を含むこと、および適合性を携帯型コンピューティングデバイスに送信することを含む。
【００２７】
第２２の実施形態では、第２１の実施形態の主題が構成され、ここで、方法が、化学物質ポンプによって行われる。
【００２８】
第２３の実施形態では、第２１および第２２の実施形態の主題が構成され、ここで、方法が、化学物質ポンプおよび携帯型コンピューティングデバイスの両方から離れたサーバーによって行われる。
【００２９】
第２４の実施形態では、第２１〜第２３の実施形態の主題が構成され、ここで、データベースは、化学物質ポンプおよび携帯型コンピューティングデバイスの両方から離れている。
【００３０】
第２５の実施形態では、第２２〜第２４の実施形態の主題が構成され、ここで、化学物質ポンプおよび携帯型コンピューティングデバイスが、Ｂｌｕｅｔｏｏｔｈ（登録商標）無線通信プロトコルを介して通信する。
【００３１】
第２６の実施形態は、処理回路によって実行されたときに、処理回路に第１〜第２５の実施形態のいずれかを実施するための動作を行わせる命令を含む少なくとも１つの機械可読媒体である。
【００３２】
第２７の実施形態は、第１〜第２５の実施形態のいずれかを実施するための手段を含む装置である。
【００３３】
第２８の実施形態は、第１〜第２５の実施形態のいずれかを実施するためのシステムである。
【００３４】
第２９の実施形態は、第１〜第２５の実施形態のいずれかを実施するための方法である。
【図面の簡単な説明】
【００３５】
以下の図面は、本発明の特定の実施形態の例示であり、したがって本発明の範囲を限定しない。図面は、以下の記載における説明と併せて使用することを目的としている。本発明の実施形態が、添付の図面とともに以下に記載され、そこでは、同様の番号は、同様の要素を示す。
【００３６】
【図１】例示的な実施形態による、一般的な産業用動作環境を示す。
【００３７】
【図２】一実施形態による、化学物質ポンプと化学組成物との間の適合性に基づいてポンプ動作を管理するためのシステムを示す。
【００３８】
【図３】一実施形態による、複数の化学物質ポンプと複数の化学組成物との間の適合性に基づいてポンプ動作を管理するためのシステムを示す。
【００３９】
【図４】一実施形態による、化学物質ポンプと化学組成物との間の適合性に基づいてポンプ動作を管理するための方法のフローチャートである。
【００４０】
【図５】任意の１つ以上の例示的な実施形態が実施され得るマシンの例を示すブロック図である。
【発明を実施するための形態】
【００４１】
以下の詳細な説明は、本質的に典型例であり、いずれにしても本発明の範囲、適用性、または構成を限定することを意図しない。むしろ、以下の記載は、本発明の典型的な実施形態を実施するためのいくつかの実例を提供する。構造、材料、および／または寸法の例は、選択された要素に対して提供される。当業者は、言及された例の多くが、様々な好適な代替手段を有することを認識するであろう。
【００４２】
複数の化学組成物を分配できる化学物質ポンプは、有用であるが、様々な化学組成物が様々な方法でポンプに影響を与える可能性がある。例えば、ポンプは、ある特定の化学組成物に曝されると劣化し得る様々な内部部品（例えば、シール、ガスケット、Ｏリングなど）を有する場合がある。さらに、ポンプは、他の部品よりも劣化しやすいいくつかの内部部品を有する場合がある。ポンピングされる化学物質をポンプに供給しようとする一般的な操作者は、ポンプの内部部品を形成する材料、またはポンピングされることを意図される化学物質とのそれらの適合性を認識していないであろう。
【００４３】
図１は、例示的な実施形態による、一般的な産業用動作環境１００を示す。産業用動作環境１００は、１つ以上の化学物質ポンプ１１０〜１１８および１つ以上の化学物質貯留槽１３０〜１３８を含み得る。化学物質ポンプ１１０〜１１８のいくつかは、同じ種類／モデルであってもよく、化学物質貯留槽１３０〜１３８のいくつかは、同じ種類の化学組成物を保持してもよい。しかしながら、化学物質ポンプ１１０〜１１８のうちの少なくとも１つは、化学物質ポンプ１１０〜１１８のうちの少なくとも他の１つとは異なる化学的適合性を有する１つ以上の部品を有し得る。同様に、化学物質貯留槽１３０〜１３８のうちの少なくとも１つは、化学物質貯留槽１３０〜１３８うちの少なくとも他の１つとは異なる化学組成物を保持してもよい。
【００４４】
各化学物質ポンプは、ポンピングされる化学物質と接触する１つ以上の部品（シール、ガスケット、Ｏリング、ポンプハウジングなど）を有し得る。接触した各部品の外面が、例えば、ポンピングプロセス中、および／または残りの化学物質がまだポンプ内にあるポンピングの停止後に、ポンピングされている化学物質で濡れている可能性があるという点において、部品は、ポンピングされている化学物質と接触する可能性がある。そのような部品は、必ずしもそうである必要はないが、ポンプハウジングの内部にある場合がある。どちらの場合でも、ポンピングされる化学物質が、接触した部品と適合しない場合、接触した部品は、部品の予想耐用年数よりも速い速度で分解し得る。これにより、ポンプが通常より早く動作不能になる可能性がある。このため、部品は、ポンピングされている化学物質と化学的に不適合であると指定され得る。その内部部品（複数可）に基づいて、化学物質ポンプ１１０〜１１８は、いくつかの化学組成物との使用が承認され得るが、他の化学組成物は、禁止される場合がある。いくつかの化学組成物は、化学物質ポンプ１１０〜１１８との使用が承認される場合があるが、化学物質ポンプ１１０〜１１８の耐用年数を他の承認された化学物質よりも短くするであろう。
【００４５】
本開示による化学物質ポンプ（例えば、ポンプ１１０〜１１８）の部品は、任意の好適な材料から製造することが可能であるが、例示的な材料には、金属（例えば、ステンレス鋼、チタン）およびポリマー材料が含まれる。ポンピングされている化学物質と接触したポンプの１つ以上の部品を形成するために使用され得る高分子材料の例には、ポリ塩化ビニル、ポリエチレン、ポリプロピレン、ポリフッ化ビニリデン、ポリテトラフルオロエチレン、ポリエーテルエーテルケトン、およびこれらの組み合わせが含まれるが、これらに限定されない。
【００４６】
同様に、本開示による化学物質貯留槽（例えば、貯留槽１３０〜１３８）は、任意の所望の種類の化学物質を保持することが可能であるが、１つ以上の貯留槽に保持され得る化学物質の例には、アルカリ金属水酸化物、アルカリ金属次亜塩素酸塩、過酸化物、鉱酸、有機酸、界面活性剤、およびそれらの組み合わせが含まれるが、これに限定されない。特定の貯留槽に保持される化学物質は、ポンプ内の１つ以上の部品を製造するために使用される材料と適合しない場合がある。例えば、ある特定の状況では、アルカリ金属水酸化物は、ポリ塩化ビニルまたはポリフッ化ビニリデン製の部品と適合しない場合がある。別の例として、過酸化物は、ある特定の状況では、ポリプロピレン製の部品と適合しない場合がある。さらなる例として、硝酸（ＨＮＯ３）は、ある特定の状況では、ポリエーテルエーテルケトン製の部品と適合しない場合がある。さらなる例として、次亜塩素酸ナトリウムは、ある特定の状況では、ポリプロピレンまたはポリフッ化ビニリデン製の構成部品と適合しない場合がある。
【００４７】
単一の化学物質ポンプ１１０〜１１８の化学的適合性を追跡することは実行可能であり得るが、多くの産業／商業／製造環境では、それらの動作において多くの化学物質ポンプ１１０〜１１８および多くの異なる種類の化学組成物が使用される。化学組成物と化学物質ポンプ１１０〜１１８の内部部品（したがって、化学物質ポンプ１１０〜１１８自体）との間の化学的適合性を追跡することは困難な作業であり、化学物質ポンプの内部構成要、およびそれが曝された様々な化学組成物に基づいて、化学物質ポンプ１１０〜１１８の予想耐用年数値を追跡することはよりさらに困難である。
【００４８】
図２は、化学物質ポンプと化学組成物との間の適合性に基づいてポンプ動作を管理するための例示的なシステム２００を示す。システム２００は、化学物質ポンプ２１０および化学物質貯留槽２３０を含み、化学物質貯留槽２３０は、ある量の化学組成物を含有し得る。システム２００は、携帯型コンピューティングデバイス２５０、および化学的適合性データを提供するデータサーバー２６０を含み得る。
【００４９】
携帯型コンピューティングデバイス２５０は、化学物質ポンプと化学組成物との間の適合性を追跡するためのソフトウェアアプリケーション（「アプリ」）を実行することができる。アプリを使用して、ユーザーは、（１）特定の化学物質ポンプ２１０を選択し、（２）特定の化学組成物を含有する化学物質貯留槽２３０を選択し、（３）データサーバー２６０に適合性情報を要求し、（４）データサーバー２６０から適合性情報を受信することができる。データサーバー２６０から受信した適合性情報に基づいて、アプリは、ユーザーに、化学組成物が化学物質ポンプ２１０での使用が承認されていること、化学組成物が化学物質ポンプ２１０の耐用年数を短くする可能性があること、化学組成物が化学物質ポンプ２１０での使用が承認されていないこと、化学組成物が化学物質ポンプ２１０での使用が禁止されていることなどの１つ以上を通知することができる。
【００５０】
図２に示される携帯型コンピューティングデバイス２５０は、スマートフォンであるが、携帯型コンピューティングデバイス２５０は、タブレット、バーコード読み取り機、無線周波数識別（ＲＦＩＤ）読み取り機、カメラ、またはこれらの機能のうちの１以上を含む任意の携帯型コンピューティングデバイスであってもよい。さらに、特定の化学物質ポンプ２１０を選択すること、および特定の化学組成物を含有する化学物質貯留槽２３０を選択することは、それぞれ（１）および（２）とラベル付けされているが、これらのステップは、どちらの順序で行われてもよい。
【００５１】
化学的適合性を確認するには、特定の化学物質ポンプ２１０および化学組成物（または化学組成物を含有する特定の化学物質貯留槽２３０）をアプリ内で選択する必要がある場合がある。特定の化学物質ポンプ２１０は、様々な方法でアプリ内で選択され得る。例えば、ユーザーは、アプリのユーザーインターフェース（ＵＩ）を使用して、アプリのＵＩ内に提示された一連の化学物質ポンプから特定の化学物質ポンプ２１０を選択することができる。別の例として、ユーザーは、アプリのＵＩを使用して、特定の化学物質ポンプ２１０の識別情報（例えば、一意の識別番号、ブランドまたはモデル番号、場所など）をアプリに入力することができる。一実施形態では、アプリのＵＩは、携帯型コンピューティングデバイス２５０のタッチスクリーン上に提示される。
【００５２】
いくつかの例では、特定の化学物質ポンプ２１０は、バーコード（例えば、２次元バーコード、３次元バーコード、ＱＲコード（登録商標）など）、ＲＦＩＤタグ（例えば、パッシブＲＦＩＤタグ、アクティブＲＦＩＤタグなど）、または特定の化学物質ポンプ２１０を一意に識別する画像／テキストなどの電子的に読み取り可能な媒体２１２を含み得る。そのような実施形態では、特定の化学物質ポンプ２１０は、携帯型コンピューティングデバイス２５０の対応する入力デバイスを使用して電子的に読み取り可能な媒体２１２を電子的に読み取ることによって、アプリ内で選択され得る。例えば、電子的に読み取り可能な媒体２１２がバーコードである場合、入力デバイスは、カメラまたはバーコード読み取り機などの光入力デバイスであってもよく、電子的に読み取り可能な媒体２１２がＲＦＩＤタグである場合、入力デバイスは、ＲＦＩＤ読み取り機などであってもよい。
【００５３】
化学組成物（または化学組成物を含有する特定の化学物質貯留槽２３０）は、様々な方法でアプリ内で選択されてもよい。例えば、ユーザーは、アプリのユーザーインターフェース（ＵＩ）を使用して、アプリのＵＩ内に提示された一連の化学組成物（または化学組成物を含有する一連の特定の化学物質貯留槽２３０）から化学組成物（または化学組成物を含有する特定の化学物質貯留槽）を選択することができる。別の例として、ユーザーは、アプリのＵＩを使用して、化学組成物（または化学組成物を含有する特定の化学物質貯留槽２３０）の識別情報（例えば、一意の識別番号、ブランド／モデル番号の組み合わせなど）を入力することができる。
【００５４】
いくつかの例では、特定の化学物質貯留槽２３０は、バーコード（例えば、２次元バーコード、３次元バーコード、ＱＲコード（登録商標）など）、ＲＦＩＤタグ（例えば、パッシブＲＦＩＤタグ、アクティブＲＦＩＤタグなど）、または特定の化学物質貯留槽２３２を一意に識別する画像／テキストなどの電子的に読み取り可能な媒体２３２を含み得る。そのような実施形態では、特定の化学物質貯留槽２３０は、その対応する電子的に読み取り可能な媒体２３２を電子的に読み取ることにより、アプリ内で選択され得る。一実施形態では、電子的に読み取り可能な媒体２３２は、埋め込まれた情報を含み、アプリは、この埋め込まれた情報を使用して、選択された化学組成物（または化学組成物を含有する特定の化学物質貯留槽２３０）に関する追加情報を検索する（例えば、データサーバーから）必要がある場合がある。例えば、特定の化学物質貯留槽２３０が選択された場合、アプリは、特定の化学物質貯留槽２３０に含有される化学組成物を判定する必要がある場合がある。一実施形態では、埋め込まれた情報は、特定の化学物質貯留槽内の化学物質の種類、特定の化学物質貯留槽２３０内の化学物質の量、および／または特定の化学物質貯留槽２３０内の化学物質の濃度のうちの少なくとも１つに対応することができる。
【００５５】
特定の化学物質ポンプ２１０および化学組成物（または化学組成物を含有する特定の化学物質貯留槽２３０）の両方の選択を受信した後、アプリは、特定の化学物質ポンプ２１０の化学組成物との適合性に関する情報を検索することができる。一実施形態では、検索は、特定の化学物質ポンプ２１０および化学組成物（または化学組成物を含有する特定の化学物質貯留槽２３０）を識別する情報を使用して、アプリにデータサーバー２６０から情報（例えば、データベース、フラットファイル、データストアへのＷｅｂサービスフロントエンドなど）を要求させることができる。一実施形態では、データサーバー２６０は、携帯型コンピューティングデバイス２５０、特定の化学物質ポンプ２１０、ならびに携帯型コンピューティングデバイス２５０および特定の化学物質ポンプ２１０の両方の外部にあるコンピューティングデバイスのうちの少なくとも１つに配置される。一実施形態では、データサーバー２６０が携帯型コンピューティングデバイス２５０に配置されていない場合、アプリは、携帯型コンピューティングデバイス２５０の無線通信デバイスを使用して、データサーバー２６０と通信することができる。
【００５６】
特定の化学物質ポンプ２１０および化学組成物（または化学組成物を含有する特定の化学物質貯留槽２３０）を識別する情報を受信した後、データサーバー２６０は、識別情報に基づいて適合性データを検索することができる。検索は、データサーバー２６０へアクセス可能なデータベースからのデータを要求するデータサーバー２６０を伴う。
【００５７】
一実施形態では、データサーバー２６０は、特定の化学物質ポンプ２１０の部品に関する情報を検索することができる。例えば、特定の化学物質ポンプ２１０の各部品について、データサーバー２６０は、部品の種類、部品内の材料（複数可）、部品と適合しない化学組成物のリスト、部品が曝された化学組成物のリストおよび／または露出の期間、予想耐用年数、予想耐用年数の残り、ならびにそれらの組み合わせのうちの１つ以上を検索することができる。
【００５８】
追加的または代替的に、データサーバー２６０は、化学組成物に関する情報を検索することができる。例えば、データサーバー２６０は、化学組成物と適合する材料の種類のリスト、化学組成物と適合しない材料の種類のリスト、化学組成物と適合する化学物質ポンプの種類のリスト、化学組成物と適合しない化学物質ポンプの種類のリスト、およびそれらの組み合わせのうちの１つ以上を検索することができる。
【００５９】
データサーバー２６０は、特定の化学物質ポンプ２１０（および／またはその部品）に関する検索された情報および化学組成物に関する検索された情報を使用して、特定の化学物質ポンプ２１０の１つ以上の部品（および任意で全て）と化学組成物との間の適合性を判定することができる。例えば、データサーバー２６０は、特定の化学物質ポンプ２１０の部品に関する情報を化学組成物に関する情報と相互参照することができる。一実施形態では、特定の化学物質ポンプ２１０の少なくとも１つの部品が化学組成物と適合しない場合、データサーバー２６０は、特定の化学物質ポンプ２１０が全体として化学組成物と適合しないと判定することができる。一実施形態では、データサーバー２６０は、特定の化学物質ポンプ２１０（およびその部品）に関する検索された情報および化学組成物に関する検索された情報をアプリに戻し、アプリは、適合性判定を行う。
【００６０】
一実施形態では、適合性のある化学組成物を特定の化学物質ポンプ２１０で使用することが、特定の化学物質ポンプ２１０の部品の予想耐用年数の残りをその予想耐用年数を超えて短くする場合、データサーバー２６０（またはアプリ）は、（１）特定の化学物質ポンプ２１０が全体として化学組成物と適合しないか、または（２）化学組成物は適合するが、化学組成物がその特定の化学物質ポンプ２１０で使用された場合、特定の化学物質ポンプ２１０は、加速した劣化を受けるであろうことを説明する警告がユーザーに発行されるべきであると判定することができる。
【００６１】
データサーバー２６０は、特定の化学物質ポンプ２１０（およびその部品）に関する検索された情報および化学組成物に関する検索された情報をアプリに戻すことができる。データサーバー２６０が適合性判定を行った場合、データサーバー２６０は、適合性判定を行うために使用される検索された情報に加えて（またはその代わりに）、適合性判定をアプリに戻すことができる。データサーバー２６０が適合性判定を行わなかった場合、アプリは、特定の化学物質ポンプ２１０（およびその部品）に関する検索された情報および化学組成物に関する検索された情報を使用して適合性判定を行うことができる。
【００６２】
適合性判定に基づいて（データサーバー２６０によって、またはアプリによって行われたかに関係なく）、アプリは、特定の化学物質ポンプ２１０と化学組成物が適合することの表示、特定の化学物質ポンプ２１０の少なくとも１つの部品と化学組成物が適合しないことの表示、特定の化学物質ポンプ２１０と化学組成物が適合性しないことの表示、および特定の化学物質ポンプ２１０で化学組成物を使用すると、その特定の化学物質ポンプ２１０の耐用年数が短くなる可能性があるという表示のうちの少なくとも１つを示す出力をユーザーに提示することができる。いくつかの例では、特定の化学物質ポンプ２１０と化学組成物が適合しない場合、アプリは、その特定の化学物質ポンプ２１０に通信を送信し得、通信の受信後、その特定の化学物質ポンプ２１０は、追加の量の化学組成物がその特定の化学物質ポンプ２１０に導入されることを防止することができる。
【００６３】
いくつかの例では、アプリは、特定の化学物質ポンプ２１０から動作情報を受信することができ、受信した動作情報を携帯型コンピューティングデバイス２５０の出力デバイス（例えば、画面またはタッチスクリーン）に表示することができる。動作情報は、現在特定の化学物質ポンプ２１０にある化学組成物、特定の化学物質ポンプ２１０に残っている化学組成物の量、現在のポンプ速度、特定の化学物質ポンプ２１０内の化学組成物の量が低いという警告、特定の化学物質ポンプ２１０が空であるという警告などの１つ以上を含み得る。
【００６４】
一実施形態では、アプリは、特定の化学物質ポンプ２１０に結合されている（例えば、論理的に関連付けられている、または物理的に取り付けられている）コンピューター内で実行することができる。そのような実施形態では、関連するコンピューターがアプリを実行している特定の化学物質ポンプ２１０に対して適合性判定が行われるとアプリが想定し得るため、特定の化学物質ポンプ２１０を選択するステップは、任意であってもよい。しかしながら、一実施形態では、特定の化学物質ポンプ２１０に結合されたコンピューター内で実行されるアプリは、それでもなお、他の化学物質ポンプの適合性判定を行うために使用されてもよい。
【００６５】
特定の化学物質ポンプ２１０に結合されたコンピューター内でアプリが実行される実施形態では、貯留槽の電子的に読み取り可能な媒体２３２を読み取ることによって特定の化学物質貯留槽２３０を選択するためのプロセスが制限される場合がある。例えば、アプリを実行するコンピューターが携帯型ではない場合、特定の化学物質貯留槽２３０のバーコードを画像化または走査するには、ユーザーが、コンピューターの入力デバイス（例えば、カメラまたはバーコードスキャナー）に関連して特定の化学物質貯留槽２３０を物理的に操作する必要がある場合がある。別の例として、アプリを実行するコンピューターが携帯型でない場合、特定の化学物質貯留槽２３０のＲＦＩＤタグを読み取るには、同様に、特定の化学物質貯留槽２３０を物理的に移動させて、貯留槽のＲＦＩＤタグがコンピューターのＲＦＩＤ読み取り機の読み取り範囲内になるようにする必要がある場合がある。そのような状況では、特定の化学物質貯留槽２３０が、前述の他の仕組み（例えば、特定の化学物質貯留槽２３０の一意のコードを入力する、リストから特定の化学物質貯留槽２３０を選択するなど）によってアプリ内で選択されてもよい。
【００６６】
特定の化学物質ポンプ２１０に結合されたコンピューター内でアプリが実行され、アプリを使用して他の化学物質ポンプを選択することができる実施形態では、他のポンプの電子的に読み取り可能な媒体を読み取ることによって別の特定の化学物質ポンプを選択するためのプロセスは、多くの化学物質ポンプが固定されているため、これまで以上に制限され得る。例えば、アプリを実行するコンピューターが携帯型でない場合、別の特定の化学物質ポンプのバーコードを画像化または走査するには、ユーザーが、コンピューターの入力デバイス（例えば、カメラまたはバーコードスキャナー）に関連して一方または両方の化学物質貯留槽を物理的に操作する（例えば、移動させる）必要がある場合があり、これは、実用的でない場合がある。別の例として、アプリを実行するコンピューターが携帯型でない場合、別の化学物質ポンプのＲＦＩＤタグを読み取るには、同様に、一方または両方の化学物質貯留槽を物理的に移動させて、他の化学物質タンクのＲＦＩＤタグがコンピューターのＲＦＩＤ読み取り機の読み取り範囲内になるようにする必要がある場合があり、これもまた実用的でない場合がある。そのような状況では、別の化学物質ポンプが、前述の他の仕組み（例えば、他の化学物質ポンプの一意のコードを入力する、リストから他の化学物質ポンプを選択するなど）によってアプリ内で選択されてもよい。
【００６７】
一実施形態では、アプリは、特定の化学物質ポンプ２１０用の化学物質貯留槽を追加、削除、または変更するプロセスを通じてユーザーを誘導することができる。例えば、アプリは、ユーザーのための視覚的（例えば、テキスト、画像、および／または動画）命令を表示することができ、アプリは、ユーザーのために音声指示再生させることができ、またはそれらの組み合わせがあり得る。
【００６８】
一実施形態では、アプリは、ユーザーが特定の化学物質ポンプ２１０の動作パラメータを遠隔で変更できるようにすることができる。例えば、アプリは、ユーザーが分配される化学組成物の濃度、分配率などの１つ以上を変更できるようすることができる。
【００６９】
図３は、一実施形態による、複数の化学物質ポンプと複数の化学組成物との間の適合性に基づいてポンプ動作を管理するためのシステム３００を示す。一実施形態では、システム３００は、複数の化学物質ポンプおよび／または複数の化学組成物の適合性判定プロセスを同時に行うことができる。例えば、例示的な施設３０２は、少なくとも３つの異なる化学物質ポンプおよび少なくとも２つの異なる化学組成物を有し得る。適合性判定プロセスを別々に６回（３つの化学物質ポンプおよび２つの化学組成物の可能な組み合わせごとに１回）行うのではなく、システムは、適合性判定プロセスが６つ全ての組み合わせに対して同時に行われることを可能にすることができる。これを行うには、ユーザーは、アプリを使用して、３つの特定の化学物質ポンプおよび２つの特定の化学物質貯留槽を選択し、データサーバーから適合性情報を要求し、データサーバーから適合性情報を受信することができる。データサーバーおよび／またはアプリは、特定の化学物質ポンプ（およびそれらの部品）に関する検索された情報および化学組成物に関する検索された情報に基づいて、適合性判断を行うことができる。
【００７０】
図３に示されるように、システム３００は、Ｎ個の特定の化学物質ポンプ３１０〜３１４およびＭ個の特定の化学物質貯留槽３３０〜３３４を含んでもよく、ここで、Ｎ＜Ｍ、Ｎ＞Ｍ、またはＮ＝Ｍである。適合性判定プロセスは、特定の化学物質ポンプ３１０〜３１４のうちの１つ、いくつか、または全て、および特定の化学物質貯留槽３３０〜３３４のうちの１つ、いくつか、または全てに対して実行され得る。特定の化学物質ポンプ３１０〜３１４を選択すること、および特定の化学物質貯留槽３３０〜３３４を選択することは、それぞれ１ａ〜１ｎおよび２ａ〜２ｍとラベル付けされるが、これらのステップは、任意の順序で実行されてもよいが、しかしながら、選択され、それらの情報がデータサーバー３６０に送信される（３）それらの特定の化学物質ポンプ３１０〜３１４および特定の化学物質貯留槽３３０〜３３４のみが、適合性判定に含まれるであろう。データサーバー３６０は、施設３０２内に常駐するものとして示されているが、データサーバー３６０は、特定の化学物質ポンプ３１０〜３１４、携帯型コンピューティングデバイス３５０、施設３０２、および施設３０２の外部にある１つ以上の場所のうちの１つ以上の中に（完全にまたは部分的に）常駐してもよい。
【００７１】
複数の特定の化学物質ポンプ３１０〜３１４および／または（複数の特定の化学物質貯留槽３３０〜３３４内の）複数の化学組成物が適合性判定に含まれる場合、適合性判定は、最適化情報を含み得る。例えば、適合性判定は、化学物質ポンプ＃１  ３１０、化学組成物＃１（化学物質貯留槽＃１  ３３０に保管されている）、および化学組成物＃２（化学物質貯留槽＃１  ３３２に保管されている）に対して行われ得る。化学物質ポンプ＃１  ３１０は、化学組成物＃１および化学組成物＃２の両方と適合するが、化学組成物＃１は、化学組成物＃２よりも化学物質ポンプ＃１  ３１０に対する腐食性が高い可能性があるため、適合性判定は、化学組成物＃２を化学物質ポンプ＃１  ３１０に追加するようにユーザーに指示する最適化情報を含み得る。化学的適合性以外の他の変数が、最適化判定に影響を与える場合がある（例えば、化学組成物の費用、在庫の化学組成物の量、化学組成物の有効期限／保管可能期間、化学組成物が別の化学組成物で置き換え可能かどうか、など）。
【００７２】
図４は、一実施形態による、化学物質ポンプと化学組成物との間の適合性に基づいてポンプ動作を管理するための方法のフローチャートである。少なくとも１つの部品を含む化学物質ポンプを識別するポンプ識別子が受信される（動作４０４）。
【００７３】
化学組成物を保管している化学物質貯留槽を識別する化学物質識別子が受信される（動作４０８）。
【００７４】
化学物質ポンプの少なくとも１つの部品と化学物質貯留槽内の化学組成物との間の適合性を含む化学的適合性データを含むデータベースに、ポンプ識別子および化学物質識別子を使用してクエリが行われる（動作４１２）。
【００７５】
クエリへの応答がデータベースから受信され（動作４１６）、応答には、化学物質ポンプの少なくとも１つの部品と化学物質貯留槽内の化学組成物との間の適合性が含まれる。
【００７６】
表示が出力され（動作４２０）、表示は、化学物質貯留槽に保管されている化学組成物と化学物質ポンプとの間の化学的適合性に対応する。
【００７７】
任意で、化学組成物と化学物質ポンプが適合しない場合、追加の量の化学組成物が化学物質ポンプに導入されることが防止される（動作４２４）。
【００７８】
図５は、任意の１つ以上の例示的な実施形態を実施することができるマシン５００の例を示すブロック図である。代替の実施形態では、マシン５００は、スタンドアロンデバイスとして動作してもよく、または他のマシンに接続（例えば、ネットワーク化）されてもよい。ネットワーク化された配置では、マシン５００は、クライアント−サーバーネットワーク環境において、サーバーマシン、クライアントマシン、またはその両方の能力で動作することができる。一例では、マシン５００は、ピアツーピア（Ｐ２Ｐ）（または他の分散型）ネットワーク環境においてピアマシンとして機能することができる。マシン５００は、図１〜４に示されるシステム、デバイス、または方法の任意の部分を実施または含んでもよく、コンピューター、サーバー、またはそのマシンによって取られる行為を特定する命令（順次的であってもなくても）を実行できる任意のマシンであってもよい。さらに、単一のマシンのみが示されているが、「マシン」という用語は、クラウドベースのコンピューティング、サービスとしてのソフトウェア（ＳａａＳ）、その他のコンピュータークラスター構成など、本明細書で論じられる方法論のうちのいずれか１つ以上を行う一連の（または複数回の一連の）命令を個別または共同で実行するマシンの任意の群を含むとも解釈されるべきである。
【００７９】
本明細書に記載される例は、ロジックまたはいくつかの部品、モジュール、もしくはメカニズムを含み得るか、またはそれらによって動作し得る。モジュールは、指定された動作を行うことが可能な有体物（例えば、ハードウェア）であり、ある特定の様式で構成または配置され得る。一例では、回路が、モジュールとして特定された様式で（例えば、内部的に、または他の回路などの外部実体に関して）配置され得る。一例では、１つ以上のコンピューターシステム（例えば、スタンドアロン、クライアントまたはサーバーコンピューターシステム）または１つ以上のハードウェアプロセッサの全体または一部が、指定された動作を行うために動作するモジュールとしてファームウェアまたはソフトウェア（例えば、命令、アプリケーション部分、またはアプリケーション）によって構成され得る。一例では、ソフトウェアは、機械可読媒体に常駐することができる。一例では、ソフトウェアは、モジュールの基盤となるハードウェアによって実行されると、ハードウェアに指定された動作を行わせる。
【００８０】
したがって、「モジュール」という用語は、たとえ実在物が、特定された様式で動作する、または本明細書に記載される任意の動作の一部または全部を行うように物理的に構築された、具体的に構成された（例えば、ハードワイヤード）、または一時的に（例えば、一時的に）構成された（例えば、プログラムされた）としても、有対物を包含すると理解される。モジュールが一時的に構成されている例を考えると、モジュールの各々を一度にインスタンス化する必要はない。例えば、モジュールがソフトウェアを使用して構成された汎用ハードウェアプロセッサを含む場合、汎用ハードウェアプロセッサは、それぞれの異なるモジュールとして異なる時間に構成され得る。したがって、ソフトウェアは、例えば、ある瞬間に特定のモジュールを構成し、別の瞬間に異なるモジュールを構成するようにハードウェアプロセッサを構成することができる。
【００８１】
マシン（例えば、コンピューターシステム）５００は、ハードウェアプロセッサ５０２（例えば、中央処理ユニットデバイス（ＣＰＵ）、グラフィックス処理ユニット（ＧＰＵ）、ハードウェアプロセッサコア、またはそれらの任意の組み合わせ）、メインメモリ５０４、およびスタティックメモリ５０６を含んでもよく、それらの一部または全ては、インターリンク（例えば、バス）５０８を介して互いに通信することができる。マシン５００は、表示ユニット５１０、英数字入力デバイス５１２（例えば、キーボード）、およびユーザーインターフェース（ＵＩ）ナビゲーションデバイス５１４（例えば、マウス）をさらに含み得る。一例では、表示ユニット５１０、入力デバイス５１２、およびＵＩナビゲーションデバイス５１４は、タッチスクリーンディスプレイであってもよい。マシン５００はさらに、記憶デバイス（例えば、駆動ユニット）５１６、信号生成デバイス５１８（例えば、スピーカー）、ネットワークインターフェースデバイス５２０、および全地球測位システム（ＧＰＳ）センサ、コンパス、加速度計、または他のセンサなどの１つ以上のセンサ５２１を含み得る。マシン５００は、シリアル（例えば、ＵＳＢ、パラレル、または他の有線または無線（例えば、赤外線（ＩＲ）、近距離無線通信（ＮＦＣ）など）接続などの出力コントローラ５２８を含み、通信または１つ以上の周辺デバイス（プリンタ、カード読み取り機など）を制御することができる。
【００８２】
記憶デバイス５１６は、本明細書に記載される技法または機能のうちのいずれか１つ以上を具体化する、またはそれによって利用される一連またはそれ以上のデータ構造または命令５２４（例えば、ソフトウェア）が格納されている機械可読媒体５２２を含み得る。命令５２４はまた、マシン５００によるその実行中に、完全にまたは少なくとも部分的に、メインメモリ５０４内、スタティックメモリ５０６内、またはハードウェアプロセッサ５０２内に常駐することができる。一例では、ハードウェアプロセッサ５０２、メインメモリ５０４、スタティックメモリ５０６、またはストレージデバイス５１６のうちの１つまたは任意の組み合わせは、機械可読媒体を構成することができる。
【００８３】
機械可読媒体５２２は、単一の媒体として示されているが、「機械可読媒体」という用語は、１つ以上の命令５２４を格納するように構成された単一の媒体または複数の媒体（例えば、集中型もしくは分散型データベース、ならびに／または関連するキャッシュおよびサーバー）を含み得る。
【００８４】
「機械可読媒体」という用語は、マシン５００による実行のための命令を格納、エンコード、または搬送することができる、マシン５００に本開示の技法のうちの任意の１つ以上を行わせる、またはそのような命令によって使用されるか、もしくはそれに関連するデータ構造を格納、エンコード、または搬送することができる任意の媒体を含み得る。非限定的な機械可読媒体の例には、ソリッドステートメモリ、ならびに光学および磁気媒体が含まれ得る。したがって、機械可読媒体は、一時的な伝播信号ではない。機械可読媒体の具体例としては、半導体メモリデバイス（例えば、電気的にプログラム可能な読み取り専用メモリ（ＥＰＲＯＭ）、電気的に消去可能なプログラム可能な読み取り専用メモリ（ＥＥＰＲＯＭ））、およびフラッシュメモリデバイスなどの不揮発性メモリ、内蔵ハードディスクおよびリムーバブルディスクなどの磁気ディスク、光磁気ディスク、ランダムアクセスメモリ（ＲＡＭ）、ソリッドステートドライブ（ＳＳＤ）、ならびにＣＤ−ＲＯＭおよびＤＶＤ−ＲＯＭディスクを挙げることができる。
【００８５】
命令５２４はさらに、いくつかの転送プロトコル（例えば、フレームリレー、インターネットプロトコル（ＩＰ）、伝送制御プロトコル（ＴＣＰ）、ユーザーデータグラムプロトコル（ＵＤＰ）、ハイパーテキスト転送プロトコル（ＨＴＴＰ）など）のいずれか１つを利用するネットワークインターフェースデバイス５２０を介して伝送媒体を使用して、通信ネットワーク５２６を介して送信または受信され得る。例示的な通信ネットワークには、とりわけ、ローカルエリアネットワーク（ＬＡＮ）、広域ネットワーク（ＷＡＮ）、パケットデータネットワーク（例えば、インターネット）、携帯電話ネットワーク（例えば、セルラーネットワーク）、普通電話（ＰＯＴＳ）ネットワーク、および無線データネットワーク（例えば、Ｗｉ−Ｆｉ（登録商標）として知られている米国電気電子学会（ＩＥＥＥ）８０２．１１標準群、ＷｉＭＡＸ（登録商標）として知られているＩＥＥＥ８０２．１６標準群）、ＩＥＥＥ８０２．１５．４標準群、Ｂｌｕｅｔｏｏｔｈ（登録商標）、Ｂｌｕｅｔｏｏｔｈ（登録商標）低エネルギー技術、ＺｉｇＢｅｅ（登録商標）、ピアツーピア（Ｐ２Ｐ）ネットワークが含まれ得る。一例では、ネットワークインターフェースデバイス５２０は、通信ネットワーク５２６に接続するために、１つ以上の物理ジャック（例えば、イーサネット（登録商標）、同軸、または電話ジャック）または１つ以上のアンテナを含み得る。一例では、ネットワークインターフェースデバイス５２０は、単一入力複数出力（ＳＩＭＯ）、複数入力複数出力（ＭＩＭＯ）、または複数入力単一出力（ＭＩＳＯ）技法の少なくとも１つを使用して無線通信する複数のアンテナを含み得る。「伝送媒体」という用語は、マシン５００による実行のための命令を格納、エンコード、または搬送することができ、そのようなソフトウェアの通信を容易にするためのデジタルもしくはアナログ通信信号または他の無形媒体を含む任意の無形媒体を含むと解釈されるべきである。
【００８６】
本明細書では、コンピューターシステムおよびコンピューターネットワーキングの分野における従来の用語が使用されてきた。用語は、当技術分野で知られており、便宜上、非限定的な例としてのみ提供される。したがって、特許請求の範囲の対応する用語の解釈は、特に明記しない限り、任意の特定の定義に限定されない。
【００８７】
本明細書では特定の実施形態が示され、記載されてきたが、同じ目的を達成するために計算される任意の配置が、示される特定の実施形態の代わりになり得ることが当業者には理解されよう。当業者には多くの適応が明らかであろう。したがって、本出願は、あらゆる適応または変形を網羅することを意図している。
【００８８】
上記の説明は、例示的であることを意図とし、限定的ではない。例えば、上記の例（またはその１つ以上の態様）は、互いに組み合わせて使用されてもよい。上記の説明を検討すると、当業者によってなど、他の実施形態が使用されてもよい。
【００８９】
様々な非限定的な実施形態が記載されてきた。本明細書に記載される例の範囲から逸脱することなく、好適な代替が可能であることは理解されよう。これらおよび他の例は、以下の特許請求の範囲の範囲内にある。
【図１】
2021514511.tif 000003
【図２】
2021514511.tif 000004
【図３】
2021514511.tif 000005
【図４】
2021514511.tif 000006
【図５】
2021514511.tif 000007
【国際調査報告】
2021514511.tif 000008
2021514511.tif 000009
2021514511.tif 000010